(57)【要約】【課題】  固定体の支持軸に回転体を枢着した軸受の潤滑油漏出を的確に防止できるエレベーター用巻上機を得る。【解決手段】  固定体１の凹部３内面、固定体１の凹部３内面に対向した回転体１１のボス１０の外面、オイルシール１９及び外側シール２０によって高気圧室２１を形成し、固定体１の支持軸８に回転体１１を枢着した軸受１８に隣接して配置する。そして、高気圧室２１内を回転体１１の凹所９外の空気圧よりも高圧状態に保持して、回転体１１の回転に伴う温度変化等によって生じる軸受１８の潤滑油漏出を的確に防止する。  また、軸受１８の潤滑油漏出を防止し、エレベーター用巻上機における潤滑油漏出に起因する制動機能不全等の二次的な不具合の発生を未然に防ぐ。【選択図】        図１
2005314039.tif 000002
【特許請求の範囲】
【請求項１】
固定体から突設された支持軸、この支持軸に回転体のボスを枢着した軸受並びに上記支持軸及びボスの内周面外縁部との間に配置されたオイルシールにより上記軸受の内部に空間を形成し、上記軸受内部の空間の外側に空隙を形成するように上記固定体及びボスの外面との間に外側シールを備え、上記固定体、ボスの外面及び外側シールにより形成された空隙内を上記軸受内部の空間の空気圧より高圧にしたことを特徴とするエレベーター用巻上機。
【請求項２】
高気圧室内の空気圧力を検出し、オイルシール及び外側シールの少なくとも一方の異常発生を検知する異常検出器を備えたことを特徴とする請求項１記載のエレベーター用巻上機。
【発明の詳細な説明】
【技術分野】
【０００１】
この発明は、エレベーターの主索を巻掛けた綱車が、固定体から突設された支持軸に軸受を介して枢着されてなるエレベーター用巻上機に関する。
【背景技術】
【０００２】
従来のエレベーター用巻上機においては、基体、すなわち固定体から突設された支持軸に回転体が軸受を介して枢着される。そして、回転体の外周部にエレベーターの主索が巻掛けられる綱溝、ブレーキドラムの制動面、電動機の電機子が設けられる。また、ブレーキドラムの制動面に対応する制動機が固定体内部に設けられる。そして、電動機の付勢によって回転体の制動が解除されて回転体が回転して綱溝に巻掛けられた主索が駆動される。また、電動機の消勢によって制動機が動作して回転体の回転を制動するにように構成されている。（例えば、特許文献１参照）。
【０００３】
【特許文献１】特開２０００−２８９９５４号公報（要約、図２）
【発明の開示】
【発明が解決しようとする課題】
【０００４】
従来のエレベーター用巻上機では、固定体の支持軸に設けられた軸受の潤滑油が漏出する恐れがあるので、潤滑油の漏出を防ぐため軸受に対向してオイルシールが設けられる。しかし、回転体の回転に伴う温度変化、回転体の回転による軸受箇所に対する空気圧の作用等によって軸受の潤滑油漏出が生じることがある。このため、漏出した潤滑油がエレベーター用巻上機の他の部材に流れて塵埃付着等の原因になったり、回転体に形成されたブレーキドラムに達して制動作用を妨げたりするという問題点があった。
【０００５】
この発明は、かかる問題点を解消するためになされたものであり、固定体の支持軸に回転体を枢着した軸受の潤滑油漏出を的確に防止できるエレベーター用巻上機を得ることを目的とする。
【課題を解決するための手段】
【０００６】
この発明に係るエレベーター用巻上機においては、固定体から突設されて固定体に形成された凹部の底面に配置された支持軸と、一側に開口した凹所が設けられて凹所の開口部から支持軸の突出端が空隙を形成して嵌入されたボス並びにこのボスの外周部に設けられて少なくとも綱溝及び制動機の制動面が形成されたリム部によって構成された回転体と、ボスの凹所奥側に設けられて支持軸にボスを枢着した軸受と、ボスの凹所における開口縁部側に設けられて支持軸とボスの凹所内周面との間に配置されたオイルシールと、固定体の凹部内周面とボスの外周面との間に配置されて、固定体の凹部内面、固定体の凹部内面に対向したボスの外面及びオイルシールによってボスの凹所外の空気圧よりも高圧の高気圧室を構成した外側シールとが設けられる。
【発明の効果】
【０００７】
この発明によるエレベーター用巻上機は、固定体の凹部内面、固定体の凹部内面に対向したボスの外面、オイルシール及び外側シールによって高気圧室が形成され、固定体の支持軸に回転体を枢着した軸受に隣接して高気圧室が配置される。そして、高気圧室内が回転体の凹所外空気圧よりも高圧状態に保持されるので、回転体の回転に伴う温度変化等によって生じる軸受の潤滑油漏出を的確に防止する効果がある。
【０００８】
また、軸受の潤滑油漏出を防止することによって回転体に形成されて制動機の要部をなす制動面に、漏出した軸受の潤滑油が到達して制動作用を妨げる不具合の発生、すなわち軸受の潤滑油漏出に起因する二次的な不具合の発生を未然に防ぐことができ、作動信頼性の高いエレベーター用巻上機を実現する効果がある。
【発明を実施するための最良の形態】
【０００９】
実施の形態１．
図１は、この発明の実施の形態を示す縦断面図である。図において、基体、すなわち固定体１の一側に開口し後退して形成された空所２が設けられ、また固定体１の他側に凹部３が設けられる。そして、空所２内に制動機４が設けられて制動機４の制動片５が空所２の側壁６を貫通して外側に突出して配置される。また、固定体１の凹部３側に開口した空所を形成する後退部７が空所２の側壁６の外周に設けられる。
【００１０】
そして、支持軸８が固定体１から反空所２側に突設されて凹部３の底面の中心に配置される。また、一側に開口した有底の凹所９が設けられて凹所９の開口部を介して支持軸８の突出端が空隙を形成して嵌入されたボス１０を有する回転体１１が設けられる。そして、ボス１０の外周部にリム部１２が設けられて、リム部１２にエレベーターの主索（図示しない）が巻掛けられる綱溝１３及び固定体１の後退部７内に延長されて制動機４の制動片５に対面した制動面１４が形成される。
【００１１】
また、回転体１１における制動面１４の外周面に後述する電動機の電機子１５が設けられ、また固定体１における後退部７の内面に電機子１５に対向して固定子巻線１６が設けられる。なお、電機子１５及び固定子巻線１６によって巻上機の電動機１７が構成される。そして、ボス１０の凹所９の奥側寄りに二つの軸受１８が設けられて、支持軸８の長手方向に互いに離れて設けられ回転体１１のボス１０を支持軸８に枢着する。
【００１２】
そして、ボス１０の凹所９における開口縁部側にオイルシール１９が設けられて、ボス１０の凹所９内周面と支持軸８の外周面との間に配置される。また、固定体１の凹部３内周面とボス１０の外周面との間に外側シール２０が設けられる。そして、固定体１の凹部３内面、凹部３内面に対向したボス１０の外面、オイルシール１９及び外側シール２０によってボス１０の凹所９外の空気圧よりも高圧の高気圧室２１が構成される。
【００１３】
また、圧力検出器からなり高気圧室２１内の空気圧力を検出する異常検出器２２が固定体１の凹部３底面を貫通して設けられ、また逆止弁を要部として構成されて高気圧室２１に空気を供給するための給気用金具２３が固定体１の凹部３底面を貫通して設けられる。そして、給気用金具２３を介して高気圧室２１に空気が供給されて、高気圧室２１がボス１０の凹所９外空気圧よりも高圧状態に保持される。なお、図示が省略してあるが異常検出器２２がエレベーターの制御盤に接続され、また異常検出器２２の出力値が制御盤に表示される。
【００１４】
上記のように構成されたエレベーター用巻上機において、電動機１７が消勢されると制動機４の電磁石（図示しない）も消勢されて、制動片５が回転体１１の制動面１４に制動ばね（図示しない）によって押圧されて回転体１１が制動される。また、電動機１７が付勢されると制動機４の電磁石も付勢されて、制動ばねの押圧力に抗して制動片５を非制動位置に変位させる。これにより、電動機１７の動作によって回転体１１が回転して綱溝１３に巻掛けられたエレベーターの主索を介してかご（図示しない）が運転される。
【００１５】
また、給気用金具２３を介して空気が供給されて高気圧室２１内がボス１０の凹所９外空気圧よりも高圧状態に保持される。そして、回転体１１の回転に伴う温度変化、回転体１１の動作により発生して軸受１８箇所に作用する空気圧等によって軸受１８の潤滑油漏出が生じる恐れがある。しかし、軸受１８に対向して設けられたオイルシール１９に隣接した高気圧室２１内が高圧状態になっているので、軸受１８の潤滑油漏出を的確に防止することができる。
【００１６】
これによって、漏出した軸受１８の潤滑油がエレベーター用巻上機の他の部材に流れて塵埃付着等の原因になったり、回転体１１に形成されて制動機４の要部をなす制動面１４に漏出した潤滑油が到達して制動作用を妨げたりする不具合の発生を未然に解消することができる。このため、制動機４の制動機能を正常状態に保つことができ、作動信頼性の高いエレベーター用巻上機を得ることができる。
【００１７】
また、異常検出器２２がエレベーターの制御盤に接続され、また異常検出器２２の出力値が制御盤に表示される。このため、オイルシール１９、外側シール２０の損傷、劣化等の異常発生によって空気が漏れて高気圧室２１内の気圧が所定値未満になっときに、制御盤の機能によってエレベーター用巻上機が消勢されてエレベーターの運転が休止される。また、制御盤の機能によって高気圧室２１内の気圧低下が報知されるので、この報知を介して迅速に高気圧室２１内の気圧低下対策作業を行うことができる。
【００１８】
したがって高気圧室２１内の気圧低下に起因し、漏出した潤滑油による制動機４の制動機能不全等の二次的な不具合の発生を未然に防止することができる。
また、制御盤の機能によってコンプレッサー（図示しない）が付勢されて給気用金具２３を介して高気圧室２１に空気を供給して、高気圧室２１内の気圧を所定値以上に復旧するように構成することもできる。これによって、軸受１８の潤滑油漏出を防止することができると共に、エレベーターの運転を正常状態に維持することができる。
【図面の簡単な説明】
【００１９】
【図１】この発明の実施の形態１を示す縦断面図。
【符号の説明】
【００２０】
１  固定体、３  凹部、８  支持軸、９  凹所、１０  ボス、１１  回転体、１２  リム部、１３  綱溝、１４  制動面、１８  軸受、１９  オイルシール、２０  外側シール、２１  高気圧室、２２  異常検出器、２３  給気用金具。
【図１】
2005314039.tif 000003